(57)【要約】【課題】  ボトム衣料において、１枚の生地で多段の緊締力の変化をし、さらに、体の各部を適切な力で押さえる。【解決手段】  オパール加工によって、緊締力の強い部分と弱い部分を形成し、薬品による減量速度の遅い部分の面積や形状を適宜変更することにより、ボトム衣料において、腹部や脚部を適切な力で締め付ける。ガードル１において、腹押さえ部２１の緊締力が最も強く、次いで、大腿内側側部２２、後側緊締部２３の順に緊締力が弱くなっていくように、各部２１，２２，２３において、P部とQ部の面積と個数を調整する。【選択図】  図１
2012140713.tif 000002
【特許請求の範囲】
【請求項１】
伸縮性素材からなり、前身頃と後身頃が一体となっているか、又は、前身頃と後身頃が所定箇所で縫合されているボトム衣料において、複数の緊締部と該緊締部より緊締力の弱いその他の部分が形成され、
前記緊締部は、強緊締力を有する腹押さえ部と、中緊締力を有する大腿内側内部と、弱緊締力を有する後側緊締部と、
からなることを特徴とするボトム衣料。
【請求項２】
前記ボトム衣料において、
前記腹押さえ部は、P部分と、該Ｐ部分間に形成された細幅のＱ部分とからなり、
前記大腿内側内部は、幾何形状のＰ部分と、該Ｐ部分間に形成された細幅のＱ部分とからなり、
前記後側緊締部は、前記大腿内側内部のＰ部分より小さい多数の幾何形状のＰ部分と、該Ｐ部分間に形成された細幅のＱ部分とからなり、
前記大腿内側内部のP部分の個数がｎであるとき、前記腹押さえ部のP部分の最大部分の面積Ｓ１と前記大腿内側内部のP部分の最大部分の面積Ｓ２が、Ｓ１＞Ｓ２×ｎの関係にあることを特徴とする、請求項２記載のボトム衣料。
【請求項３】
伸縮性素材からなり、前身頃と後身頃が一体となっているか、又は、前身頃と後身頃が所定箇所で縫合されているボトム衣料において、複数の緊締部と該緊締部より緊締力の弱いその他の部分が形成され、
前記緊締部は、強緊締力を有する腹押さえ部と、弱緊締力を有する臀部緊締部と、
からなることを特徴とするボトム衣料。
【請求項４】
前記伸縮性生地は、裁断されたままの状態で端始末不要な丸編生地からなることを特徴とする、請求項１乃至３記載のボトム衣料。
【発明の詳細な説明】
【技術分野】
【０００１】
本発明は、補正機能を有するボトム衣料に関する。
【背景技術】
【０００２】
従来から、補正機能を有する種々のボトム衣料が知られている。1枚の布帛で多段の緊締力の変化を行おうとすると、伸縮パワーの強い領域と弱い領域の境界を略直線とすることしかできなかった。
【先行技術文献】
【特許文献】
【０００３】
【特許文献１】特開２００８−２７４４９９
【発明の概要】
【発明が解決しようとする課題】
【０００４】
特許文献１では、１枚の布帛で多段の緊締力の変化を可能としているが、体の各部を適切な力で押さえることができなかった。
【課題を解決するための手段】
【０００５】
本発明に係るボトム衣料は、伸縮性素材からなり、前身頃と後身頃が一体となっているか、又は、前身頃と後身頃が所定箇所で縫合されているボトム衣料において、複数の緊締部と該緊締部より緊締力の弱いその他の部分が形成され、緊締部は、強緊締力を有する腹押さえ部と、中緊締力を有する大腿内側内部と、弱緊締力を有する後側緊締部と、からなることを特徴とする。
【０００６】
ボトム衣料において、腹押さえ部は、P部分と、Ｐ部分間に形成された細幅のＱ部分とからなり、大腿内側内部は、幾何形状のＰ部分と、Ｐ部分間に形成された細幅のＱ部分とからなり、後側緊締部は、大腿内側内部のＰ部分より小さい多数の幾何形状のＰ部分と、Ｐ部分間に形成された細幅のＱ部分とからなり、大腿内側内部のP部分の個数がｎであるとき、前記腹押さえ部のP部分の最大部分の面積Ｓ１と前記大腿内側内部のP部分の最大部分の面積Ｓ２が、Ｓ１＞Ｓ２×ｎの関係にあることを特徴とする。
【０００７】
また、本発明に係るボトム衣料は、伸縮性素材からなり、前身頃と後身頃が一体となっているか、又は、前身頃と後身頃が所定箇所で縫合されているボトム衣料において、複数の緊締部と該緊締部より緊締力の弱いその他の部分が形成され、緊締部は、強緊締力を有する腹押さえ部と、弱緊締力を有する臀部緊締部と、
からなることを特徴とする。
【０００８】
さらに、本発明のボトム衣料は、裁断されたままの状態で端始末不要な丸編生地からなることを特徴とし、着用時にアウターに響かなくすることが可能である。
【発明の効果】
【０００９】
１枚の生地において、緊締力の強弱を縫い目を作ることなく形成し、腹部と臀部下縁の緊締力をそれぞれ適切に変えながら、着用時に身体を押さえることができる。また、それに加えて、脚部においても適切な緊締力で締めつけることもできる。
【図面の簡単な説明】
【００１０】
【図１】本発明の第１実施例の正面図である。
【図２】本発明の第１実施例の背面図である。
【図３】生地から第１実施例のガードルを裁断した状態の平面図である。
【発明を実施するための最良の形態】
【００１１】
図１に示されているのは、本発明の実施例であるガードル１である。ガードル１は、丸編の切りっ放し素材からなり、裁断されたままの状態で端始末が不要となっている。
【００１２】
丸編素材は、ナイロン系繊維、ポリエステル繊維、ポリウレタン繊維から成る伸縮性生地である。
【００１３】
本発明に用いる生地は、丸編の切りっ放し素材をオパール加工した状態のものである。当該生地は、二種以上の繊維からなり、それぞれ特定の薬品に対する減量速度が異なる。すなわち、特定の薬品に漬けた時に、溶ける速度が異なるようになっている。
【００１４】
丸編の切りっ放し素材において、緊締力の強くしたい部分には薬品に溶けにくい繊維を多くし、緊締力が最も弱くなる部分には、薬品に全て溶ける繊維と薬品に溶けない繊維の組み合わせとし、生地が透ける程度にすればよい。このように、緊締力の強弱は、減量速度の異なる繊維を適宜組み合わせることにより、如何様にもなしうる。本実施例においては、薬品としてアルカリ溶液を用い、減量速度とはアルカリ減量速度をいうが、これに限定されないのは、当然である。
【００１５】
本発明においては、減量速度の異なる２種以上の繊維とポリウレタン繊維を含む部分Pと、前記減量速度の異なる２種以上の繊維のうち減量速度が大きい繊維がほぼ完全に除去され、減量速度が小さい繊維とポリウレタン繊維を含む部分Qからなる。生地における緊締力の調整は、緊締力の強いPと緊締力の弱いQの面積を変化させることにより行う。アルカリ減量速度の異なる２種以上の繊維の例として、ポリエステル繊維、ナイロン繊維、セルロース系繊維等がある。なお、アルカリ減量速度の異なる２種以上の繊維には、ポリウレタン繊維は含まれない。
【００１６】
当該生地を、図３に示されたように、所定の形状に切断し、それを縫い合わせることにより、図１に示されたガードル１が出来上がる。図３では、クロッチ部分３とウエストベルト４を除いた前身頃部と後身頃部が一体となった形状に切断されるようになっている。
【００１７】
図３に示された、前身頃と後身頃が一体となった本体部２を、後中心２Ｃと両脚部２Ｌで縫合し、それに、クロッチ部３、ウエストベルト４を縫合してガードル１が出来上がる。
【００１８】
ガードル１は、腹押さえ部２１、大腿内側側部２２、後側緊締部２３の三つの緊締部を有する（図１及び図２参照）。この中で、腹押さえ部２１の緊締力が最も強く、次に、大腿内側側部２２の緊締力が強く、後側緊締部２３の緊締力が最も弱い。緊締部は、P部分とQ部分からなり、それ以外の部分は、Q部分のみからなる。
【００１９】
腹押さえ部２１は、着用時に腹部を覆う。大腿内側側部２２は、着用時に、クロッチ下部から大腿内側部を通って膝上に至る。後側緊締部２３は、着用時に、本体部２の上縁からヒップ下縁に沿う臀部緊締部２３Ａ、臀部の最下部近傍からそれぞれ左右の大腿内側側部２２に連続する大腿後部緊締部２３Ｂ、左右の臀部下縁と後側大腿部の境界近傍からそれぞれ左右大腿後部と外側部を通って膝上近傍に至る大腿長傾部２３Ｃからなる。
【００２０】
腹押さえ部２１は、本体部２の前側において、本体部２の上縁からクロッチ部３の若干上方にまで至る略V字状を成している。腹押さえ部２１は、上辺が長く下辺が短い台形状のP部分が９つ集まって形成される。各台形間には、細長いQ部分が形成されている。各台形の面積は、他の緊締部のP部分より面積が大きく、他の緊締部より緊締力が強くなっている。９つの台形は最上部が最も面積が大きく、下に行くに従って、面積が小さくなるようになっている。P部分の大きさは、最上部の台形において、上辺が約１８センチ、下辺が約１５センチで、上下方向（図１中、上下方向）の長さが５センチ弱である。最下部の台形は、上辺が４センチ強、下辺が約５ミリ、上下方向の長さが約１センチである。このようにすることにより、ウエスト近傍ほど緊締力が強くクロッチ部に近いほど緊締力が弱くなり、適切な腹押さえができる。
【００２１】
本実施例では、P部分は９つの台形からなるが、これに限定されないのは当然である。台形の個数や各台形の大きさが本実施例と異なってもよく、形状が台形に限定されないのも当然である。また、腹押さえ部２１の形状も略V字状に限定されない。例えば、腹押さえ部２１が、Ｕ字状となっていてもよく、円に近い形状で、腹押さえ部２１の中央付近のＰ部分が最も大きくなっていてもよい。
【００２２】
本実施例では、腹押さえ部２１の各Ｐ部分の面積は、最も小さいもので２平方センチ強であり、最も大きいもので９０平方センチ以下であり、さらに、各P部分のほとんどが、大腿内側側部２２の各Ｐ部に比べて十分に大きく、腹押さえ部２１の緊締力を三つの緊締部の中で最も大きいものとしている。
【００２３】
腹押さえ部２１のＰ部分は何個でもよいが、１個の場合は、面積が９０平方センチ以上且つ８００平方センチ以下であることが望ましい。また、大腿内側側部２２のＰ部分との関係において、以下の関係を有することが好ましい。大腿内側内部２２のP部分の個数がｎであるとき、腹押さえ部２１のP部分の最大部分の面積Ｓ１と大腿内側内部２２のP部分の最大部分の面積Ｓ２が、Ｓ１＞Ｓ２×ｎの関係にある。
【００２４】
本実施例において、大腿内側側部２２は、三角形、四角形、五角形からなるP部分が１０から２０程度形成され、各P部分間に細幅のQ部分が形成されることにより、帯状の緊締部を成している。平均的なP部分の大きさは、四角形で略２センチ四方である。各P部分の面積が腹押さえ部２１のP部分より小さいので、大腿内側側部２２の緊締力は、腹押さえ部２１の緊締力より小さい。
【００２５】
大腿内側側部２２のＰ部分は何個でもよいが、太腿内側部の緊締力の関係から、本実施例のように１０から２０程度であることが望ましい。
【００２６】
後側緊締部２３は、三角形、四角形、五角形からなるP部分が多数形成され、各P部分間に細幅のQ部分が形成されることにより、緊締部を成している。平均的なP部分の大きさは、四角形で略１センチ四方である。各P部分の面積が３つの緊締部の中で最も小さいので、後側緊締部２３の緊締力は、３つの緊締部の中で最も小さい。なお、後側緊締部２３Ｐ部分は、全てが大腿内側側部２２のＰ部分より小さい必要はなく、大腿内側側部２２のＰ部分より大きいものが少数存在しても、後側緊締部２３の緊締力が大腿内側側部２２の緊締力より小さければ、本実施例に該当する。また、大腿内側側部２２においても、後側緊締部２３においても、Ｐ部の形状が三角形、四角形、五角形に限定されないのはもちろんである。同様の作用を奏するものであれば、丸、楕円等、ハート、星、花、その他いかなる幾何形状であってもよい。
【００２７】
後側緊締部２３の臀部緊締部２３Ａは、略Ｕ字状を成し、着用の際にヒップの下方への下垂を防ぐ。大腿後部緊締部２３Ｂは大腿内側側部２２と連続する。大腿長傾部２３Ｃは、前述のように、左右の臀部下縁と後側大腿部の境界近傍からそれぞれ左右大腿後部と外側部を通って膝上近傍に至り、大腿後部緊締部２３Ｂ、大腿内側側部２２と共に大腿部を適切に締めつける。
【００２８】
前記３つの緊締部以外の部分は、Q部分のみからなり、同一の緊締力を有し、前記３つの緊締部より緊締力が弱い。例えば、９．８Ｎの力で引っ張ったとき、腹押さえ部２１は、縦方向の伸度が４２．３％、横方向の伸度が２７．７％である。同じ力で引っ張ったとき、緊締部以外の部分は、縦方向の伸度が１３１．３％、横方向の伸度が１２２．３％である。
【００２９】
クロッチ部３は、本体部２と同一の素材からなり、本体部２に縫合されている。また、クロッチ部３の肌側には、マチ布（不図示）が取り付けられている。クロッチ部３と本体部２は同一素材であることが好ましいが、別素材であってもよい。
【００３０】
ウエストベルト４は、本体部２と同一の素材からなる。帯状に裁断した生地を折り返して二重にし、当該折り返し部分にテープ（不図示）を縫い付けたものを、本体部２に縫合する。図１及び図２において、ウエストベルト４の上縁部が折り返し部である。ウエストベルト４と本体部２は同一素材であることが好ましいが、別素材であってもよい。
【００３１】
さらに、ガードル１は、切りっ放しの丸編素材からできているので、裾部２４において端始末の必要がなく、アウターに響くことがない。
【００３２】
上記実施例は、ガードル１に基づいて説明したが、本発明はこれに限られるものではなく、他のボトム衣料においても適用できる。例えば、脚付きショーツ、ロングパンツ、水着にも適用できる。脚付きショーツの場合、前身頃と後身頃を所定の箇所、例えば、側部において縫合する必要があるが、その他の構成は、ガードル１と同様にできる。
【００３３】
また、上記実施例では、オパール加工によってＰ部分とＱ部分を形成し、緊締力の強弱を調整しているが、それ以外の方法であってもよい。例えば、樹脂プリントの塗布によって、緊締力の強い部分と弱い部分を形成してもよい。
【符号の説明】
【００３４】
１  ガードル
２  本体部
２Ｃ  後中心
２Ｌ  両脚部
３  クロッチ部
４  ウエストベルト
２１  腹押さえ部
２２  大腿内側側部
２３  後側緊締部
２４  裾部
Ｆ  丸編生地
Ｐ  減量速度の異なる２種以上の繊維とポリウレタン繊維を含む部分
Ｑ  減量速度の異なる２種以上の繊維のうち減量速度が大きい繊維が除去され、減量速度が小さい繊維とポリウレタン繊維を含む部分
Ｓ  縫合部
【図１】
2012140713.tif 000003
【図２】
2012140713.tif 000004
【図３】
2012140713.tif 000005